(57)【要約】【課題】  小さな表示器にルビつき歌詞文字を効率よく表示する技術を提供する。【解決手段】歌詞本文１行を表示器の第１行エリアに、この歌詞本文１行のルビ行を表示器の第２行エリアに表示させるとともに、この歌詞本文１行の表示色を徐々に変化させ、色変えした歌詞本文のルビ行の文字を徐々に消去するとともに、この消去により空いた第２行エリアに後続の歌詞本文１行を徐々に表示させ、第１行エリアの色変えが終了した際、色変え済の歌詞本文１行を消去するとともに、第２行エリアに表示されている歌詞本文１行のルビ行を第１行エリアに表示させる。【選択図】  図３
2006267871.tif 000002
【特許請求の範囲】
【請求項１】
歌詞本文１行を表示器の第１行エリアに、この歌詞本文１行のルビ行を表示器の第２行エリアに表示させるとともに、この歌詞本文１行の表示色を徐々に変化させるプロセスと、
色変えした歌詞本文のルビ行の文字を徐々に消去するとともに、この消去により空いた第２行エリアに後続の歌詞本文１行を徐々に表示させるプロセスと、
第１行エリアの色変えが終了した際、色変え済の歌詞本文１行を消去するとともに、第２行エリアに表示されている歌詞本文１行のルビ行を第１行エリアに表示させるプロセスと
を含んだ歌詞表示方法。
【請求項２】
マイクロプロセッサの制御により表示器に歌曲の演奏に同期して歌詞を表示して色変えする歌詞表示方法であって、
表示器は、２行の文字列を表示可能であり、
マイクロプロセッサは第１〜第７ステップの処理を行い、
第１ステップは、表示器の第１行エリアに先行本文行を表示させるとともに、表示器の第２行エリアに先行本文行の先行ルビ行を表示させ、
第２ステップは、第１行エリアに表示させた先行本文行の色を演奏進行に合わせて変化させ、
第３ステップは、第２ステップにて色変えした先行本文行の先行ルビ行を徐々に消去させるとともに、この消去により空いた第２行エリアに後続本文行を徐々に表示させ、
第４ステップは、第１行エリアの先行本文行の色変えを終了した際、先行本文行を消去するとともに、第１行エリアに後続本文行の後続ルビ行を表示させ、
第５ステップは、第２行エリアに表示させた後続本文行の色を歌曲演奏の進行に合わせて変化させ、
第６ステップは、第５ステップにて色変えした後続本文行の後続ルビ行を徐々に消去させるとともに、この消去により空いた第１行エリアに第２後続本文行を徐々に表示させ、
第７ステップは、第２行エリアの後続本文行の色変えを終了した際、後続本文行を消去するとともに、第２行エリアに第２後続本文行の第２後続ルビ行を表示させ、第２ステップに戻る
歌詞表示方法。
【請求項３】
つぎの第１〜第７ステップをマイクロプロセッサに行わせ、２行の文字列を表示可能な表示器に歌曲の演奏に同期して歌詞を表示して色変えする歌詞表示プログラムであって、
第１ステップは、表示器の第１行エリアに先行本文行を表示させるとともに、表示器の第２行エリアに先行本文行の先行ルビ行を表示させ、
第２ステップは、第１行エリアに表示させた先行本文行の色を演奏進行に合わせて変化させ、
第３ステップは、第２ステップにて色変えした先行本文行の先行ルビ行を徐々に消去させるとともに、この消去により空いた第２行エリアに後続本文行を徐々に表示させ、
第４ステップは、第１行エリアの先行本文行の色変えを終了した際、先行本文行を消去するとともに、第１行エリアに後続本文行の後続ルビ行を表示させ、
第５ステップは、第２行エリアに表示させた後続本文行の色を歌曲演奏の進行に合わせて変化させ、
第６ステップは、第５ステップにて色変えした後続本文行の後続ルビ行を徐々に消去させるとともに、この消去により空いた第１行エリアに第２後続本文行を徐々に表示させ、
第７ステップは、第２行エリアの後続本文行の色変えを終了した際、後続本文行を消去するとともに、第２行エリアに第２後続本文行の第２後続ルビ行を表示させ、第２ステップに戻る
歌詞表示プログラム。
【請求項４】
マイクロプロセッサと、表示器を備え、歌曲の演奏に同期して歌詞を表示して色変えする携帯情報端末であって、
表示器は、２行の文字列を表示可能であり、
マイクロプロセッサは第１〜第７ステップの処理を行い、
第１ステップは、表示器の第１行エリアに先行本文行を表示させるとともに、表示器の第２行エリアに先行本文行の先行ルビ行を表示させ、
第２ステップは、第１行エリアに表示させた先行本文行の色を演奏進行に合わせて変化させ、
第３ステップは、第２ステップにて色変えした先行本文行の先行ルビ行を徐々に消去させるとともに、この消去により空いた第２行エリアに後続本文行を徐々に表示させ、
第４ステップは、第１行エリアの先行本文行の色変えを終了した際、先行本文行を消去するとともに、第１行エリアに後続本文行の後続ルビ行を表示させ、
第５ステップは、第２行エリアに表示させた後続本文行の色を歌曲演奏の進行に合わせて変化させ、
第６ステップは、第５ステップにて色変えした後続本文行の後続ルビ行を徐々に消去させるとともに、この消去により空いた第１行エリアに第２後続本文行を徐々に表示させ、
第７ステップは、第２行エリアの後続本文行の色変えを終了した際、後続本文行を消去するとともに、第２行エリアに第２後続本文行の第２後続ルビ行を表示させ、第２ステップに戻る
携帯情報端末。
【請求項５】
歌詞本文１行を表示器の第１行エリアに、この歌詞本文１行のルビ行を表示器の第２行エリアに表示させるとともに、この歌詞本文１行とルビ行の表示色を徐々に変化させるプロセスと、
色変えした第２行エリアのルビ行の文字を徐々に消去するとともに、この消去により空いた第２行エリアに後続の歌詞本文１行を徐々に表示させるプロセスと、
色変えした第１行エリアの歌詞本文１行の文字を徐々に消去するとともに、この消去により空いた第１行エリアに第２行エリアに表示させた歌詞本文のルビ行を徐々に表示するプロセスと
を含んだ歌詞表示方法。
【発明の詳細な説明】
【技術分野】
【０００１】
この発明は、歌曲の演奏に同期して歌詞を色変え表示する技術に関する。
【背景技術】
【０００２】
周知のように、カラオケ装置は、演奏に同期させながらその歌曲の歌詞をディスプレイに表示する。これにより、カラオケ利用者は歌詞を覚えていなくても歌詞を見ながら詩情を込めて歌うことができる。さらに、原曲により忠実に歌詞を発声できるように、歌詞を演奏に同期して色変え表示するものが一般的である。歌詞を色変えしながら表示する技術については、たとえば特開平１０−２８２９７１号公報や特開２００３−１５６６８号公報に開示されている。
【０００３】
すなわち、周知の通信カラオケ装置において、ＣＰＵ・ＲＡＭ・ＲＯＭを含む中央制御部が周辺各構成部を制御してカラオケ装置を統括している。ハードディスク装置には多数の歌曲について、ＭＩＤＩデータを主体とする伴奏音楽データと、歌詞画像の生成起源となる歌詞描出データとを含むカラオケデータが蓄積されている。また、所定形式の長時間分の動画データと、動画データの処理シーケンスを規定した台本データも格納されている。カラオケデータや動画データは、カラオケホスト装置（カラオケ事業者のサーバ）との適宜な通信機会にネットワークインタフェースを介して、あるいはメモリカードなどの記憶媒体によって供給される。
【０００４】
カラオケ装置は、利用者の指示入力を受け付けるユーザインタフェース装置を備え、利用者のリクエスト歌曲のカラオケデータを取り出し、伴奏音楽データをシンセサイザに転送して伴奏音楽を生成させる。また、歌詞描出データに基づいて、伴奏音楽に同期して歌唱すべき箇所が色変わりする歌詞文字列を生成する。歌詞描出データは全歌詞文字を適宜な小節ごとに区切って文字列とし、その文字列の表示／消去順序（歌詞描出シーケンス）や文字列の表示位置などの情報と、各文字列の表示／消去タイミングや文字列中の各文字における色変えタイミング（歌唱時機指示）などの情報を歌曲の演奏経過時間と対応付けして記述したものである。中央制御部は歌曲の演奏を開始すると、その演奏経過時間に基づいて、指定の歌詞文字列を含んだ歌詞画像を指定のタイミングで生成するとともに、その歌詞文字列の各文字が指定のタイミングで色変えするような歌詞画像を逐次生成し、ビデオメモリに順次ビットマップ展開していく。そしてビデオメモリの内容をディスプレイに表示出力する。
【０００５】
また、台本データに基づいて所定の動画データを所定の順番で映像制御部に順次転送して歌詞画像の背景映像を復号させ、復号した動画映像に歌詞画像をスーパーインポーズ処理し、歌詞画像入りの映像をディスプレイに表示出力する。
【特許文献１】特開平１０−２８２９７１号公報
【特許文献２】特開２００３−１５６６８号公報
【発明の開示】
【発明が解決しようとする課題】
【０００６】
近年、小型の携帯型音楽プレーヤにインターネットなどから音楽データをダウンロードして利用する人が激増している。現在の一般的な歌声の入った歌曲だけでは飽き足らず、将来はカラオケ音楽が望まれるようになるのは必至といえよう。そうすると、このような携帯型音楽プレーヤのディスプレイ（表示器）にも歌曲の歌詞を表示できると便利であるし、多くの利用者が見込まれる。ところが当然のことながら、このような小型携帯型音楽プレーヤは携帯性が追求されるためにその表示器は非常に小さく、せいぜい２行程度の文字列を表示できるにとどまる。
【０００７】
一方、カラオケ利用者は一般に、詩情を込めて歌曲を歌い上げることを楽しむのであるが、多くのカラオケ利用者は歌詞を完全には覚えていない。そのため、歌詞の詩情を理解できる程度に、歌うべき箇所の前後にも充分な長さの歌詞が表示される必要がある。しかも一瞬で読み取り易いように、漢字にはルビがついていることが望ましい。
【０００８】
そこでこの発明の目的は、携帯型音楽プレーヤなどの小さな表示器に、ルビつき歌詞文字を効率よく表示することにある。
【課題を解決するための手段】
【０００９】
上記目的を達成するために、この第１の発明は、歌詞本文１行を表示器の第１行エリアに、この歌詞本文１行のルビ行を表示器の第２行エリアに表示させるとともに、この歌詞本文１行の表示色を徐々に変化させるプロセスと、色変えした歌詞本文のルビ行の文字を徐々に消去するとともに、この消去により空いた第２行エリアに後続の歌詞本文１行を徐々に表示させるプロセスと、第１行エリアの色変えが終了した際、色変え済の歌詞本文１行を消去するとともに、第２行エリアに表示されている歌詞本文１行のルビ行を第１行エリアに表示させるプロセスとを含んだ歌詞表示方法とした。
【００１０】
第２の発明は、つぎの事項（11）〜（20）を備えた歌詞表示方法とした。  
（11）マイクロプロセッサの制御により表示器に歌曲の演奏に同期して歌詞を表示して色変えする歌詞表示方法であること
（12）表示器は、２行の文字列を表示可能であること
（13）マイクロプロセッサは第１〜第７ステップの処理を行うこと
（14）第１ステップは、表示器の第１行エリアに先行本文行を表示させるとともに、表示器の第２行エリアに先行本文行の先行ルビ行を表示させること
（15）第２ステップは、第１行エリアに表示させた先行本文行の色を演奏進行に合わせて変化させること
（16）第３ステップは、第２ステップにて色変えした先行本文行の先行ルビ行を徐々に消去させるとともに、この消去により空いた第２行エリアに後続本文行を徐々に表示させること
（17）第４ステップは、第１行エリアの先行本文行の色変えを終了した際、先行本文行を消去するとともに、第１行エリアに後続本文行の後続ルビ行を表示させること
（18）第５ステップは、第２行エリアに表示させた後続本文行の色を歌曲演奏の進行に合わせて変化させること
（19）第６ステップは、第５ステップにて色変えした後続本文行の後続ルビ行を徐々に消去させるとともに、この消去により空いた第１行エリアに第２後続本文行を徐々に表示させること
（20）第７ステップは、第２行エリアの後続本文行の色変えを終了した際、後続本文行を消去するとともに、第２行エリアに第２後続本文行の第２後続ルビ行を表示させ、第２ステップに戻ること
【００１１】
第３の発明は、つぎの事項（21）〜（28）を備えた歌詞表示プログラムとした。  
（21）つぎの第１〜第７ステップをマイクロプロセッサに行わせ、２行の文字列を表示可能な表示器に歌曲の演奏に同期して歌詞を表示して色変えする歌詞表示プログラムであること
（22）第１ステップは、表示器の第１行エリアに先行本文行を表示させるとともに、表示器の第２行エリアに先行本文行の先行ルビ行を表示させること
（23）第２ステップは、第１行エリアに表示させた先行本文行の色を演奏進行に合わせて変化させること
（24）第３ステップは、第２ステップにて色変えした先行本文行の先行ルビ行を徐々に消去させるとともに、この消去により空いた第２行エリアに後続本文行を徐々に表示させること
（25）第４ステップは、第１行エリアの先行本文行の色変えを終了した際、先行本文行を消去するとともに、第１行エリアに後続本文行の後続ルビ行を表示させること
（26）第５ステップは、第２行エリアに表示させた後続本文行の色を歌曲演奏の進行に合わせて変化させること
（27）第６ステップは、第５ステップにて色変えした後続本文行の後続ルビ行を徐々に消去させるとともに、この消去により空いた第１行エリアに第２後続本文行を徐々に表示させること
（28）第７ステップは、第２行エリアの後続本文行の色変えを終了した際、後続本文行を消去するとともに、第２行エリアに第２後続本文行の第２後続ルビ行を表示させ、第２ステップに戻ること
【００１２】
第４の発明は、つぎの事項（31）〜（40）を備えた携帯情報端末とした。  
（31）マイクロプロセッサと、表示器を備え、歌曲の演奏に同期して歌詞を表示して色変えする携帯情報端末であること
（32）表示器は、２行の文字列を表示可能であること
（33）マイクロプロセッサは第１〜第７ステップの処理を行うこと
（34）第１ステップは、表示器の第１行エリアに先行本文行を表示させるとともに、表示器の第２行エリアに先行本文行の先行ルビ行を表示させること
（35）第２ステップは、第１行エリアに表示させた先行本文行の色を演奏進行に合わせて変化させること
（36）第３ステップは、第２ステップにて色変えした先行本文行の先行ルビ行を徐々に消去させるとともに、この消去により空いた第２行エリアに後続本文行を徐々に表示させること
（37）第４ステップは、第１行エリアの先行本文行の色変えを終了した際、先行本文行を消去するとともに、第１行エリアに後続本文行の後続ルビ行を表示させること
（38）第５ステップは、第２行エリアに表示させた後続本文行の色を歌曲演奏の進行に合わせて変化させること
（39）第６ステップは、第５ステップにて色変えした後続本文行の後続ルビ行を徐々に消去させるとともに、この消去により空いた第１行エリアに第２後続本文行を徐々に表示させること
（40）第７ステップは、第２行エリアの後続本文行の色変えを終了した際、後続本文行を消去するとともに、第２行エリアに第２後続本文行の第２後続ルビ行を表示させ、第２ステップに戻ること
【００１３】
第５の発明は、歌詞本文１行を表示器の第１行エリアに、この歌詞本文１行のルビ行を表示器の第２行エリアに表示させるとともに、この歌詞本文１行とルビ行の表示色を徐々に変化させるプロセスと、色変えした第２行エリアのルビ行の文字を徐々に消去するとともに、この消去により空いた第２行エリアに後続の歌詞本文１行を徐々に表示させるプロセスと、色変えした第１行エリアの歌詞本文１行の文字を徐々に消去するとともに、この消去により空いた第１行エリアに第２行エリアに表示させた歌詞本文のルビ行を徐々に表示するプロセスとを含んだ歌詞表示方法とした。
【発明の効果】
【００１４】
本発明によれば、歌曲の演奏に同期した歌詞が、携帯情報端末などの小さな表示器に表示された場合でも、一瞬にして歌うべき歌詞が読み取れる。また、歌うべき歌詞の前後の歌詞もわかるので充分に詩情を汲むことができる。これにより、カラオケを携帯情報端末で利用しやすくなるので、カラオケ利用者が増大する効果を期待できる。
【発明を実施するための最良の形態】
【００１５】
＝＝＝携帯情報端末の基本構成＝＝＝
この発明を適用した携帯情報端末は、図１にそのブロック構成を例示したように、フラッシュメモリ１０２と、ユーザインタフェース装置１０３と、ＭＰ３デコーダ１０４と、オーディオアンプと、２行の文字列を表示可能な液晶表示器（ディスプレイ）１０８を備え、ＣＰＵ・ＲＡＭ・ＲＯＭを含む中央制御部１０１が全体を制御統括している。  
中央制御部１０１は、ＭＰ３形式などの高能率圧縮符号化したデジタル音楽データを、ＭＰ３デコーダ１０４で復号して伴奏音楽データを再生させ、ヘッドホンなどに音響出力させる。また中央制御部１０１は、音楽データに付随している歌詞描出データに基づいて、演奏に同期して色変えする歌曲の歌詞文字を逐次ビデオメモリ１０５にビットマップ展開させ、ＬＣＤドライバ１０６を介して表示器１０８に表示させる。  
音楽データや歌詞描出データはネットワークインタフェース１０７を介してインターネットからダウンロードしたりメモリカードなどにより取り込んだりしてフラッシュメモリ１０６に蓄積する。
【００１６】
＝＝＝歌詞描出データの構成＝＝＝
図２に歌詞描出データの構成を例示しているように、演奏の進行にともなって逐次出力される歌詞文字には、種々のデータが付帯している。すなわち、演奏の進行に同期して順次表示・消去される文字群が順番に記載されている。
【００１７】
「頁」「行」なる属性項目は文字の表示シーケンスを示す。頁は、表示器１画面分における最大表示単位に相当する。行は１頁内の行番号を示している。たとえば、表示器１０８の１行目に示す文字群には１が設定されている。本実施例では、１または２のいずれかが設定されていることになる。特に本実施例では、歌詞本文とルビ行の２行一組を１頁としている。つまり歌詞本文と対応するルビ行には同一の頁数が設定されている。
【００１８】
「文字番号」なる通し番号を振られた各文字には、「表示タイミング」「文字コード」「種別コード」「表示レイアウト」「歌唱タイミング」「消去タイミング」などの属性情報が付加されている。文字コードは、漢字ＲＯＭのアドレスを指定するもので、中央制御部１０１はこれを参照することにより所定の文字を抽出可能である。種別コードは、歌詞本文、独唱、デュエットのパート（男性／女性）、ルビといった歌詞文字の種類を分別する識別符号である。表示レイアウトは、文字を表示器１０８に表示する際の座標を示すものである。表示タイミングは、各文字を表示器１０８に表示すべき時機を指示するものであり、消去タイミングは、各文字を表示器１０８から消去すべき時機を指示するものである。また、歌唱タイミングは、歌唱者が歌唱すべき時機を指示するものである。これらの時機は、演奏開始からの経過時間により規定されている。本実施例では、カラオケデータに含まれるテンポクロックにより時間をカウントしている。
【００１９】
＝＝＝歌詞表示方法＝＝＝
上記の歌詞描出データの構成自体は、表示タイミングおよび消去タイミングが設定される点以外は、従来のものとほぼ同様である。本発明は、歌詞の表示方法に特徴を有するものであって、以下に詳細に説明するように表示器１０８に歌詞文字が表示される。
【００２０】
本実施例における歌詞表示の制御処理フローを図３に示している。また、歌詞表示の画面遷移を図４に例示している。  
歌曲の演奏が開始されると、中央制御部１０１は歌詞描出データに基づいて、１頁１行の文字群（歌詞本文の１頁目である）を表示器１０８の１行目に表示させ、１頁２行の文字群（１行目に表示される歌詞本文のルビ行である）を２行目に表示させる（図３のｓ１）。２行目に表示されるルビの各文字には、１行目に表示される各漢字の下に表示されるように、表示レイアウトが設定されている。
【００２１】
そして、各文字の歌唱タイミングに基づいて、１頁目の歌詞本文について、演奏に同期して歌うべき箇所の表示色を徐々に変化させる。それとともに２行目に表示されたルビを徐々に消していく（ｓ２，図４の（ａ）〜（ｂ）参照）。つまり歌唱タイミングは、１行目の文字と対応する２行目のルビについてほぼ同一の値が設定され、歌詞本文に対しては色変えタイミングとして機能する。また、ルビ行については歌唱タイミングと消去タイミングに同一の値が設定されている。消去タイミングを別途設けることなく歌唱タイミングを参照して消去するようにしてもよい。
【００２２】
もちろん、ルビ行についても歌唱タイミングで色変えを行い、その直後（一定時間の後）に消去するようにしてもよい。この場合に消去タイミングには歌唱タイミングの一定時間の後の値を設定するようにしてもよい。あるいは、消去タイミングを別途設けることなく、歌唱タイミングを参照してその一定時間後に消すようにしてもよい。こうすると色変えの位置が確認しやすくなる。
【００２３】
その後、２行目のルビを消して空白になった部分には、後続の歌詞本文を徐々に表示させる（ｓ２，（ａ）〜（ｂ））。つまり２頁目の歌詞本文の各文字の表示タイミングは、１頁目のルビ各文字の消去タイミングの一定時間後となるように設定しておけばよい。
【００２４】
このように、歌詞本文は歌い終わってもしばらくの間は表示され、ルビ行のみを消していく。ルビは歌い終われば不要であるのに対して、歌詞本文は歌い終わった後にも残っていると、歌うべき歌詞の前後を見渡せるため、歌詞の字面を追うことに終始して詩情を見失うことがなくなる。
【００２５】
そして１頁目の歌詞本文が全て色変え表示されるとともに２行目に表示されていたルビが全て消え、２頁目の歌詞本文が表示器１０８の２行目全体に表示されると、１行目から色変え済みの１頁目歌詞本文を消去し、かわりに２頁目のルビ行の全体を表示させる（ｓ３〜ｓ４，（ｃ）〜（ｄ））。つまり、１行内のルビ各文字について、表示タイミングは同一の値が設定される。もちろん、少しずつずらして短い時間の間に１行が表示されるようにすることも可能である。
【００２６】
また、歌詞本文１行内の各文字については、その消去タイミングは次頁のルビ行の表示タイミングと同一、あるいはその直前の値が設定される。
【００２７】
２頁目の歌詞本文について、今度は、演奏に同期して歌うべき箇所の表示色を徐々に変化させる。それとともに１行目に表示されたルビを徐々に消していく。その後、１行目のルビを消して空白になった部分には、３頁目の歌詞本文を徐々に表示させる（ｓ５，（ｅ）〜（ｆ））。そして、２行目に表示されていた２頁目の歌詞本文が全て色変え表示されるとともに１行目に表示されていたルビが全て消え、３頁目の歌詞本文が表示器１０８の１行目全体に表示されると、２行目に色変え表示されている２頁目の歌詞本文を消去してかわりに３頁目のルビ行の全体を表示させる（ｓ６〜ｓ７，（ｇ）〜（ｈ））。
【００２８】
そして、表示器１０８の１行目に表示された３頁目の歌詞本文について、上述のステップ２と同様に、演奏に同期して歌うべき箇所の表示色を徐々に変化させる。以降、ステップ２〜７の動作を繰り返して歌詞本文とルビ行を色変えさせながら表示する。
【００２９】
＝＝＝他の実施例＝＝＝
上記実施例では、歌詞本文は１行全体の色変えが終わるまで残し、ルビ行のみを消去していって後続の歌詞本文を徐々に表示するものを示している。しかし、これに限定するものではなく、ルビ行のみでなく歌詞本文も色変えが終わった部分から徐々に消去して、後続のルビ行を表示するようにしてもよい。
【００３０】
歌詞の字面を追うことに熱中していると、歌い終わった歌詞が確認できなくなり詩情を見失ってしまうおそれは残るものの、代わりに、後続歌詞本文と一緒にルビも表示されるので、読み方がわからずに歌いよどんでしまうことを防止できる。すなわち、これから歌うべき歌詞の字面を追うだけでなく詩情をくみ取る余裕が生まれる。
【００３１】
上記実施例ではカラオケ演奏機能を備えた携帯情報端末について説明したが、カラオケ装置と連動可能な表示装置についても本発明を適用可能である。この表示装置は、少なくとも中央制御部１０１とフラッシュメモリ１０２とビデオメモリ１０５とＬＣＤドライバ１０６とネットワークインタフェース１０７と表示器１０８とを備えたハードウェア構成で、ネットワークインタフェース１０７を介して（あるいは記憶媒体により）歌詞描出データを取り込み、上記の歌詞表示処理を行う。  
また、このような歌詞表示制御を行うプログラムも本発明の適用対象である。
【図面の簡単な説明】
【００３２】
【図１】本実施例の携帯情報端末のブロック構成を例示した図である。
【図２】本実施例の歌詞描出データの構成を例示した図である。
【図３】本実施例の歌詞表示の制御処理フロー図である。
【図４】本実施例にかかる歌詞表示画面の遷移を例示した図である。
【符号の説明】
【００３３】
１０１  中央制御部
１０２  フラッシュメモリ
１０５  ビデオメモリ
１０７  ネットワークインタフェース
１０８  表示器
【図１】
2006267871.tif 000003
【図２】
2006267871.tif 000004
【図３】
2006267871.tif 000005
【図４】
2006267871.tif 000006